(57)【要約】      （修正有）【課題】宝飾体を目立たせることができるとともに、ペンダントトップがチェーンに対して捻れ難くかつチェーンに対して容易に移動できるペンダントを提供する。【解決手段】チェーン２とペンダントトップ３とを備えたペンダント１であって、ペンダントトップ３は、宝飾体４と、宝飾体４を保持する台座５とを備える。台座５は、宝飾体４の上部外縁に掛けられた複数の爪（第１および第２の爪６、７）と、爪の後方で左右方向に離れて並ぶように形成された複数のチェーン挿通用の穴とを有している。複数の爪は、左右方向に対をなすように設けられている。複数のチェーン挿通用の穴のうち左右方向の一端に位置する穴から左右方向の他端に位置する穴にチェーン２が移動自在に通されている。【選択図】図２
0003226189.tif 000002
【実用新案登録請求の範囲】
【請求項１】
チェーンと、前記チェーンに吊り下げられたペンダントトップとを備えたペンダントであって、
前記ペンダントトップは、
宝飾体と、前記宝飾体を保持する台座とを備え、
前記台座は、
前記宝飾体の上部外縁に掛けられた複数の爪と、
前記爪の後方で左右方向に離れて並ぶように形成された複数のチェーン挿通用の穴とを有し、
前記複数の爪は、左右方向に対をなすように設けられ、
前記複数のチェーン挿通用の穴のうち左右方向の一端に位置する穴から左右方向の他端に位置する穴に前記チェーンが移動自在に通されていることを特徴とするペンダント。
【請求項２】
請求項１記載のペンダントにおいて、
前記台座は、前記複数の爪どうしを後方で互いに連結するように前記各爪から後方に延びる台座本体を有し、
前記チェーン挿通用の穴は、前記台座本体に突設されたＵ字状の突片によって形成されていることを特徴とするペンダント。
【請求項３】
請求項２記載のペンダントにおいて、
前記台座は、前記宝飾体の下部外縁に掛けられた複数の爪をさらに備え、
前記宝飾体の上部外縁に掛けられた前記複数の爪は、前記宝飾体の上部左側に位置する第１の爪と、前記宝飾体の上部右側に位置する第２の爪とによって構成され、
前記宝飾体の下部外縁に掛けられた前記複数の爪は、前記宝飾体の下部左側に位置する第３の爪と、前記宝飾体の下部右側に位置する第４の爪とによって構成され、
前記台座本体は、
前記第１の爪と前記第２の爪とを後方で連結するように前後方向と左右方向とに延びて屈曲する第１の連結部と、
前記第３の爪と前記第４の爪とを後方で連結するように前後方向と左右方向とに延びて屈曲する第２の連結部と、
前記第１の爪と前記第３の爪とを後方で連結するように前後方向と上下方向とに延びて屈曲する第３の連結部と、
前記第２の爪と前記第４の爪とを後方で連結するように前後方向と上下方向とに延びて屈曲する第４の連結部とによって構成されていることを特徴とするペンダント。
【請求項４】
請求項３記載のペンダントにおいて、
前記宝飾体は、ブリリアントカットが施されたダイヤモンドであり、
前記第１〜第４の連結部は、前記宝飾体の後部のパビリオンに沿うように傾斜していることを特徴とするペンダント。
【請求項５】
請求項１ないし請求項４のいずれか一つに記載のペンダントにおいて、
前記台座は、後方から見て中央部に穴が形成されていることを特徴とするペンダント。
【考案の詳細な説明】
【技術分野】
【０００１】
本考案は、ペンダントトップに宝飾体が設けられたペンダントに関する。
【背景技術】
【０００２】
従来のペンダントとしては、例えば特許文献１や特許文献２に記載されているものがある。特許文献１に開示されたペンダントは、宝飾体を有するペンダントトップがチェーンに吊り下げられる構成のものである。ペンダントトップは、宝飾体が取付けられている部分から上方に突出する連結片を有している。連結片の上端部には、チェーンを通すためのバチカンが設けられている。
【０００３】
特許文献２に開示されたペンダントは、ペンダントトップに設けられた左右一対のリング部にチェーンの一端と他端とを取付けて構成されている。
【先行技術文献】
【特許文献】
【０００４】
【特許文献１】実用新案登録第３１００２６３号公報
【特許文献２】実用新案登録第３２１０３４６号公報
【考案の概要】
【考案が解決しようとする課題】
【０００５】
特許文献１に記載されているペンダントでは、宝飾体とチェーンとの間に連結片とバチカンとが設けられているために、宝飾体が目立ち難く、しかも、ペンダントトップがチェーンに対して左右方向に捻れやすいという問題がある。特許文献２に記載されているペンダントでは、ペンダントトップがチェーンに対して固定されているために、チェーンが引かれた際にチェーンとともに移動してしまうという問題がある。
【０００６】
本考案の目的は、宝飾体を目立たせることができるとともに、ペンダントトップがチェーンに対して捻れ難くかつチェーンに対して容易に移動できるペンダントを提供することである。
【課題を解決するための手段】
【０００７】
この目的を達成するために本考案に係るペンダントは、チェーンと、前記チェーンに吊り下げられたペンダントトップとを備えたペンダントであって、前記ペンダントトップは、宝飾体と、前記宝飾体を保持する台座とを備え、前記台座は、前記宝飾体の上部外縁に掛けられた複数の爪と、前記爪の後方で左右方向に離れて並ぶように形成された複数のチェーン挿通用の穴とを有し、前記複数の爪は、左右方向に対をなすように設けられ、前記複数のチェーン挿通用の穴のうち左右方向の一端に位置する穴から左右方向の他端に位置する穴に前記チェーンが移動自在に通されているものである。
【０００８】
本考案は、前記ペンダントにおいて、前記台座は、前記複数の爪どうしを後方で互いに連結するように前記各爪から後方に延びる台座本体を有し、前記チェーン挿通用の穴は、前記台座本体に突設されたＵ字状の突片によって形成されているものである。
【０００９】
本考案は、前記ペンダントにおいて、前記台座は、前記宝飾体の下部外縁に掛けられた複数の爪をさらに備え、前記宝飾体の上部外縁に掛けられた前記複数の爪は、前記宝飾体の上部左側に位置する第１の爪と、前記宝飾体の上部右側に位置する第２の爪とによって構成され、前記宝飾体の下部外縁に掛けられた前記複数の爪は、前記宝飾体の下部左側に位置する第３の爪と、前記宝飾体の下部右側に位置する第４の爪とによって構成され、前記台座本体は、前記第１の爪と前記第２の爪とを後方で連結するように前後方向と左右方向とに延びて屈曲する第１の連結部と、前記第３の爪と前記第４の爪とを後方で連結するように前後方向と左右方向とに延びて屈曲する第２の連結部と、前記第１の爪と前記第３の爪とを後方で連結するように前後方向と上下方向とに延びて屈曲する第３の連結部と、前記第２の爪と前記第４の爪とを後方で連結するように前後方向と上下方向とに延びて屈曲する第４の連結部とによって構成されていてもよい。
【００１０】
本考案は、前記ペンダントにおいて、前記宝飾体は、ブリリアントカットが施されたダイヤモンドであり、前記第１〜第４の連結部は、前記宝飾体の後部のパビリオンに沿うように傾斜していてもよい。
【００１１】
本考案は、前記ペンダントにおいて、前記台座は、後方から見て中央部に穴が形成されていてもよい。
【考案の効果】
【００１２】
本考案によれば、チェーンが爪の後方に通されるから宝飾体が目立つようになる。また、ペンダントトップの左右両側がチェーンに支えられるからペンダントトップがチェーンに対して捻れ難い。さらに、チェーンがチェーン挿通用の穴に移動自在に通されているから、ペンダントトップがチェーンに対して容易に移動できる。
【図面の簡単な説明】
【００１３】
【図１】図１は、ペンダントトップの正面図である。
【図２】図２は、ペンダントトップの平面図である。
【図３】図３は、ペンダントトップの左側面図である。
【図４】図４は、ペンダントトップの右側面図である。
【図５】図５は、ペンダントトップの下面図である。
【図６】図６は、ペンダントトップの背面図である。
【考案を実施するための形態】
【００１４】
以下、本考案に係るペンダントの一実施の形態を図１〜図６を参照して詳細に説明する。
図１に示すペンダント１は、チェーン２と、このチェーン２に吊り下げられたペンダントトップ３とを備えている。以下において、ペンダントトップ３の各部を説明するにあたって方向を示す場合は、ペンダント１を使用者（図示せず）の首に掛けて使用者と向き合う状態（図１に示す状態）で見える方向を示す。
【００１５】
チェーン２は、詳細には図示してはいないが、ネックレスとして使用者が首に掛けて用いることができるものである。
ペンダントトップ３は、宝飾体４と、この宝飾体４を保持する台座５（図２〜図６参照）とを備えている。宝飾体４は、宝石や貴金属などである。この実施の形態においては、宝飾体４としてダイヤモンドを使用する例を示す。このダイヤモンドは、いわゆるブリリアントカットが施されたもので、図２に示すように、前側のクラウン４ａと後側のパビリオン４ｂを有している。
【００１６】
台座５は、図１に示すように、宝飾体４の上部外縁４ｃに掛けられた複数の爪（後述する第１の爪６と第２の爪７）と、宝飾体４の下部外縁４ｄに掛けられた複数の爪（後述する第３の爪８と第４の爪９）と、これらの複数の爪どうしを後方で互いに連結するように各爪から後方に延びる台座本体１１（図２〜図６参照）とを有している。爪（第１〜第４の爪６〜９）と台座本体１１は、例えばプラチナなどの硬質金属によって形成されており、鋳造によって一体に成形されている。
【００１７】
爪（第１〜第４の爪６〜９）は、後述する台座本体１１の前端に設けられており、宝飾体４を全ての爪によって挟む状態で台座本体１１と協働して保持している。
宝飾体４の上部外縁４ｃに掛けられた複数の爪（第１の爪６と第２の爪７）と、宝飾体４の下部外縁４ｄに掛けられた複数の爪（第３の爪８と第４の爪９）は、それぞれ左右方向に対をなすように設けられている。
この実施の形態おいては、宝飾体４の上部外縁４ｃに掛けられた複数の爪のうち、宝飾体４の上部左側に位置する爪を第１の爪６といい、宝飾体４の上部右側に位置する爪を第２の爪７という。また、宝飾体４の下部外縁４ｄに掛けられた複数の爪のうち、宝飾体４の下部左側に位置する爪を第３の爪８といい、宝飾体４の下部右側に位置する爪を第４の爪９という。
【００１８】
台座本体１１は、図６に示すように、第１〜第４の連結部１２〜１５を有している。第１の連結部１２は、図２に示すように、第１の爪６と第２の爪７とを後方で連結するように前後方向と左右方向とに延びており、上方から見て後方に向けて凸になる略Ｖ字状に屈曲している。
第２の連結部１３は、図５に示すように、第３の爪８と第４の爪９とを後方で連結するように前後方向と左右方向とに延びており、下方から見て後方に向けて凸になる略Ｖ字状に屈曲している。
【００１９】
第３の連結部１４は、図３に示すように、第１の爪６と第３の爪８とを後方で連結するように前後方向と上下方向とに延びており、左方から見て後方に向けて凸になる略Ｖ字状に屈曲している。
第４の連結部１５は、図４に示すように、第２の爪７と第４の爪９とを後方で連結するように前後方向と上下方向とに延びており、右方から見て後方に向けて凸になる略Ｖ字状に屈曲している。
【００２０】
これらの第１〜第４の連結部１２〜１５は、宝飾体４（ブリリアントカットが施されたダイヤモンド）の後部に形成されているパビリオン４ｂに沿うように傾斜している。すなわち、第１〜第４の連結部１２〜１５の後端の屈曲部１２ａ〜１５ａは、図６に示すように、後方から見て第１〜第４の連結部１２〜１５の前端部よりペンダントトップ３の中央側に位置付けられている。このような形状に形成された第１〜第４の連結部１２〜１５を有する台座５は、後方から見て中央部に穴１６が形成されている。
【００２１】
台座本体１１における、宝飾体４の上部外縁４ｃに掛けられた第１および第２の爪６，７の後方には、図２に示すように、左右方向に離れて並ぶように複数のチェーン挿通用の穴２１，２２が形成されている。これらのチェーン挿通用の穴２１，２２は、左右方向に対をなすように設けられている。このペンダント１においては、これらの複数のチェーン挿通用の穴２１，２２の一方の穴２１（左右方向の一端に位置する穴）から他方の穴２２（左右方向の他端に位置する穴）にチェーン２が移動自在に通されている。
【００２２】
この実施の形態によるチェーン挿通用の穴２１，２２は、台座本体１１に左右方向に対をなすように突設されたＵ字状の二つの突片２３，２４によって形成されている。これら二つの突片２３，２４は、台座本体１１を成形する型（図示せず）を使用して台座本体１１と一体に成形されている。二つの突片２３，２４のうち、左側に位置する第１の突片２３は、図６に示すように、第１の連結部１２の前端部と第３の連結部１４の前端部とが交わる部分に前後方向へ延びるように設けられている。
【００２３】
右側に位置する第２の突片２４は、第１の連結部１２の前端部と第４の連結部１５の前端部とが交わる部分に前後方向へ延びるように設けられている。第１および第２の突片２３，２４をこのように位置付けることにより、ペンダントトップ３をチェーン２に吊り下げた状態で宝飾体４の前面（ブリリアントカットされたダイヤモンドのクラウン４ａ）が前方を指向するようになる。
【００２４】
このように構成されたペンダント１によれば、チェーン２が第１の爪６と第２の爪７の後方に通されるから、宝飾体４が目立つようになる。また、ペンダントトップ３の左右両側がチェーン２に支えられるから、ペンダントトップ３がチェーン２に対して捻れ難い。さらに、チェーン２がチェーン挿通用の穴２１，２２に移動自在に通されているから、ペンダントトップ３がチェーン２に対して容易に移動できる。
【００２５】
この実施の形態による台座５は、宝飾体４の上部外縁４ｃに掛けられた複数の爪（第１および第２の爪６，７）どうしを後方で互いに連結するように各爪から後方に延びる台座本体１１を有している。チェーン挿通用の穴２１，２２は、台座本体１１に突設されたＵ字状の突片２３，２４によって形成されている。
このため、突片２３，２４をペンダントトップ３の重心位置に応じた適切な位置に設けることによって、チェーン２にペンダントトップ３が吊り下げられた状態で宝飾体４の前面が前方を指向するペンダント１を実現できる。したがって、宝飾体４のサイズ、材質などに基づいて突片２３，２４の位置を決めることによって、宝飾体４の前面が前方を指向するようになるから、製造後に調整が不要であるか、調整が必要な場合であっても簡単に行うことが可能なペンダントが得られる。
【００２６】
この実施の形態による台座５は、宝飾体４の上部左側に位置する第１の爪６と、宝飾体４の上部右側に位置する第２の爪７と、宝飾体４の下部左側に位置する第３の爪８と、宝飾体４の下部右側に位置する第４の爪９とを有している。台座本体１１は、第１〜第４の爪６〜９から後方に延びる第１〜第４の連結部１２〜１５を有している。
このため、台座５を線状の素材、言い換えれば必要最小限の素材によって形成することができるから、軽量なペンダントトップを形成することができる。
【００２７】
この実施の形態による宝飾体４は、ブリリアントカットが施されたダイヤモンドである。第１〜第４の連結部１２〜１５は、宝飾体４の後部のパビリオン４ｂに沿うように傾斜している。このため、第１〜第４の連結部１２〜１５は、前方から見て宝飾体４の後方に隠れるようになるから、宝飾体４がより一層目立つペンダントを提供することができる。
【００２８】
この実施の形態による台座５は、後方から見て中央部に穴１６が形成されている。この穴１６によって台座５の軽量化を図ることができるから、軽いペンダントが得られる。
【００２９】
上述した実施の形態においては、４箇所の爪（第１〜第４の爪６〜９）で宝飾体４を保持する例を示した。しかし、本考案は、このような限定にとらわれることはなく、爪の数は、適宜変更することができる。爪は、例えば３箇所や５箇所、６箇所などに設けることが可能である。宝飾体４の上部外縁４ｃに３つ以上の爪が掛けられる場合、チェーン挿通用の穴は、全ての爪の後方に設ける必要はなく、複数の爪のうち左右方向の両端に位置する爪の後方にのみ設ければよい。
また、宝飾体４は、ダイヤモンドに限定されることはなく、他の宝石や、貴金属でもよい。台座５の材質もプラチナに限定されることはなく、他の金属でもよい。
【符号の説明】
【００３０】
１…ペンダント、２…チェーン、３…ペンダントトップ、４…宝飾体、４ｂ…パビリオン、４ｃ…上部外縁、４ｄ…下部外縁、５…台座、６…第１の爪、７…第２の爪、８…第３の爪、９…第４の爪、１１…台座本体、１２…第１の連結部、１３…第２の連結部、１４…第３の連結部、１５…第４の連結部、１６…穴、２１，２２…チェーン挿通用の穴、２３，２４…突片。
【図１】
0003226189.tif 000003
【図２】
0003226189.tif 000004
【図３】
0003226189.tif 000005
【図４】
0003226189.tif 000006
【図５】
0003226189.tif 000007
【図６】
0003226189.tif 000008